(57)【要約】【課題】  離床支援手すりの手すり本体を、敷物の外側から持って身体を支えても、当該離床支援手すりの転倒を未然に防止することのできる支持具を提供する。【解決手段】  軽度の身障者や高齢者などが、畳部屋に敷いた布団やこたつ等の敷物Ｓから立ち上がる際や、そうした敷物Ｓへ立ち下がる際に、それを支援するために使用される離床支援手すり１を畳Ｔを利用して支持するためのもので、帯片３と固定板４とで構成する。帯片３は、離床支援手すり１の構成部材であり、畳Ｔと敷物Ｓとの間に、一方側端部である露出部１０ａを除いて配置され、露出部１０ａから少なくとも柱部材２０を立設させた基板１０の他方側端部に、一方側が取付けられ、長さ調節が自在である。固定板４は、帯片３の他方側に連結され、隣接する二枚の畳Ｔの下に跨って載置される。【選択図】      図１
0003128653.tif 000002
【実用新案登録請求の範囲】
【請求項１】
軽度の身障者や高齢者などが，畳部屋に敷いた布団やこたつ等の敷物（Ｓ）から立ち上がる際や，そうした敷物へ立ち下がる際に，それを支援するために使用される離床支援手すり（１）を畳（Ｔ）を利用して支持するための支持具であって、前記離床支援手すりの構成部材であり，前記畳と敷物との間に，一方側端部である露出部（１０ａ）を除いて配置され，前記露出部から少なくとも柱部材（２０）を立設させた基板（１０）の他方側端部に，一方側が取付けられ，長さ調節が自在の帯片（３）と、前記帯片の他方側に連結され，隣接する二枚の畳の下に跨って載置される固定板（４）とからなる離床支援手すり用支持具。
【請求項２】
軽度の身障者や高齢者などが，畳部屋に敷いた布団やこたつ等の敷物（Ｓ）から立ち上がる際や，そうした敷物へ立ち下がる際に，それを支援するために使用される離床支援手すり（１）を畳（Ｔ）を利用して支持するための支持具であって、前記離床支援手すりの構成部材であり，前記畳と敷物との間に，一方側端部である露出部（１０ａ）を除いて配置され，前記露出部から少なくとも柱部材（２０）を立設させた基板（１０）の他方側端部に，一方側が取付けられ，長さ調節が自在の帯片（３）と、前記帯片の他方側に連結され，隣接する二枚の畳の下に跨って載置される固定板（４）とからなり、前記帯片の一方側を前記基板に形成した孔部（１３）に挿通し，折り返して重合し，該重合した部分にバックル（５）を設けて長さ調整自在とし、前記帯片の他方側を，前記固定板（４）の中央部に形成した挿通孔（４ａ）に上から挿通し，該他方側の端部を固定板の下面に固定してなる離床支援手すり用支持具。
【考案の詳細な説明】
【技術分野】
【０００１】
本考案は、例えば、身障者や高齢者が、畳部屋に敷いた布団やこたつ等の敷物から立ち上がる際や、その敷物へ立ち下がる（寝る、または座る）際に、そうした動作を容易なものとすることのできる離床支援手すりを、畳を利用して支持するための支持具に関するものである。
【背景技術】
【０００２】
従来から、図５に示すように、軽度の身障者や高齢者が、布団やベッドの上に寝ている状態から、上体を起こす際や寝返りを打つ際に使用する、いわゆる離床支援手すり７０が使用されている。この離床支援手すり７０は、基板７１の上に柱部材７２を立設し、その柱部材７２から下横枠７３および上横枠７４を横設したものであり、上体を起こす際に、その下横枠７２や上横枠７３を手で持って、そうした動作を容易に行えるようにしている。
【０００３】
この従来の離床支援手すり７０は、上体を起こすためや寝返りを打つ際には便利ではあるが、立ち上がる場合や立ち下がる場合には、高さが不足し、手で持つ部分が存在しないため不便である。
【０００４】
本考案者らはこうした問題に鑑み、特に、軽度の身障者や高齢者が、布団やこたつ等の敷物から立ち上がる際や、そうした敷物に立ち下がる場合にも、それを支援することのできる離床支援手すりを、これまでに創案した。
【０００５】
この離床支援手すり１は、例えば、図１および図２に示すように、平板状の支持板部１１の一方側端部から、平板状の補助板部１２を横設した基板１０と、支持板部１１の前端部から立設された柱部材２０と、鈎状で、基端部が支持板部１１の後端部から立設され、先端部が柱部材２０の所定高さ部分に連結された第一手すり部材３０と、柱部材２０に垂直方向に伸縮自在に嵌挿された縦フレーム４１の先端部に、手すり本体４２を固定した第二手すり部材４０と、で構成されている。そして、基板１０を、その一方側端部である露出部１０ａを除いて畳Ｔと敷物Ｓとの間に配置することによって、当該離床支援手すり１を固定するようにしている（図２参照）。
【考案の開示】
【考案が解決しようとする課題】
【０００６】
この離床支援手すり１は、布団やこたつ等の敷物Ｓから立ち上がる際や、そうした敷物Ｓへ立ち下がる際に、手で手すり本体４２を持って身体を支えることができるので、立ち上がりや、立ち下がりを容易に行うことができるといったきわめて優れた効果を発揮する。
【０００７】
しかし、この離床支援手すり１には、さらに改善すべき余地がある。すなわち、当該離床支援手すり１の支持は、その基板１０（露出部１０ａを除く）を畳Ｔと敷物Ｓとの間に配置して行っているので、敷物Ｓの上から手すり本体を持って身体を支える場合には、体重が基板１０を押圧して固定するので何ら支障はないものの、敷物Ｓの外側からそうすると基板１０が体重によって固定されていないので倒れてしまい易い。
【０００８】
本考案はこうした問題に鑑み創案されたもので、離床支援手すりの手すり本体を、敷物Ｓの外側から持って身体を支えても、当該離床支援手すりの転倒を未然に防止することのできる支持具を提供することを課題とする。
【課題を解決するための手段】
【０００９】
図１乃至図４を参照して説明する。請求項１に記載の離床支援手すり用支持具２は、軽度の身障者や高齢者などが、畳部屋に敷いた布団やこたつ等の敷物Ｓから立ち上がる際や、そうした敷物Ｓへ立ち下がる際に、それを支援するために使用される離床支援手すり１を畳Ｔを利用して支持するためのものであって、帯片３と固定板４とで構成されている。
【００１０】
帯片３は、前記離床支援手すり１の構成部材であり、畳Ｔと敷物Ｓとの間に、一方側端部である露出部１０ａを除いて配置され、露出部１０ａから少なくとも柱部材２０を立設させた基板１０の他方側端部に、一方側が取付けられ、長さ調節が自在なものである。また、固定板４は、帯片３の他方側に連結され、隣接する二枚の畳Ｔの下に跨って載置されるものである。
【００１１】
請求項２に記載の離床支援手すり用支持具２は、軽度の身障者や高齢者などが、畳部屋に敷いた布団やこたつ等の敷物Ｓから立ち上がる際や、そうした敷物Ｓへ立ち下がる際に、それを支援するために使用される離床支援手すり１を畳Ｔを利用して支持するためのものであって、帯片３と固定板４とバックル５とで構成されている。
【００１２】
帯片３は、離床支援手すり１の構成部材であり、畳Ｔと敷物Ｓとの間に、一方側端部である露出部１０ａを除いて配置され、露出部１０ａから少なくとも柱部材２０を立設させた基板１０の他方側端部に、一方側が取付けられ、長さ調節が自在でな部材である。固定板４は、帯片３の他方側に連結され、隣接する二枚の畳Ｔの下に跨って載置されるものである。
【００１３】
バックル５は、帯片３の一方側を基板１０に形成した孔部１３に挿通し、折り返して重合し、当該重合した部分に設けられるもので、帯片３の長さを自在に調整するものである。なお、帯片３の他方側を、固定板４の中央部に形成した挿通孔４ａに上から挿通し、当該他方側の端部を固定板４の下面に固定している。
【考案の効果】
【００１４】
請求項１に記載の離床支援手すり用支持具２は、離床支援手すり１を畳Ｔを利用して支持するので、敷物Ｓの外から手すり本体４２を持って身体を支えても、当該離床支援手すり１は畳Ｔによって支持されているので転倒しない。すなわち、固定板４を隣接する二枚の畳の間の下に、当該二枚の畳に跨った状態で配置するので、手すり本体４２に敷物Ｓと反対方向の力（図１および図２の矢印参照）が作用しても、当該手すり１は畳の重量によって支持され、倒れない。なお、手すり本体４２に、敷物Ｓに向かう方向に力が作用した場合には、基板１０が転倒を防止する。
【００１５】
請求項２に記載の離床支援手すり用支持具２は、請求項１に記載の考案と同様に敷物Ｓの外から手すり本体を持って身体を支えても、転倒しない。また、この手すり１は、帯片３をバックル５によって長さ調節自在としているので、当該長さ調節を容易に行うことができる。従って、当該離床支援手すり１を、きわめて容易に、畳部屋のどの箇所にも配置することができる。すなわち、基板１０と隣接する二枚の畳の間との距離が長ければ、帯片３を延ばし、逆に、短ければ縮めることによって自在に対応することができる。
【考案を実施するための最良の形態】
【００１６】
本考案に係る離床支援手すり用支持具２の実施形態を、図１乃至図４に示す。この支持具２は、軽度の身障者や高齢者などが、畳部屋に敷いた布団（敷物Ｓ）から立ち上がる際や、その敷物Ｓに横たわる際に、その動作を支援するために使用される離床支援手すり１を畳Ｔを利用して支持するものであり、帯片３、固定板４およびバックル５で構成される。
【００１７】
帯片３は、基板１０の他方側端部に、一方側が取付けられ、長さ調節が自在である。この基板１０は、畳Ｔと敷物Ｓとの間に、一方側端部である露出部１０ａを除いて配置され、露出部１０ａから柱部材２０と第一手すり部材３０を立設させている。固定板４は、帯片３の他方側に連結され、隣接する二枚の畳Ｔの下で、当該二枚の畳Ｔに跨って載置されている。固定板４の形状は限定されるものではなく、本実施形態のような平面矩形状の他に、例えば、平面円形や平面多角形状であっても良い。
【００１８】
バックル５は、帯片３の一方側を基板１０に形成した孔部１３に挿通し、折り返して形成した重合部分に、当該帯片３を挿通させた状態で設けている。このバックル５は、一般に、カバン等の紐の長さを調整するために用いるのものと同じであり、当該バックル５によって帯片３の長さを自在に調整することができる。  
【００１９】
また、本実施形態では、帯片３の他方側を、固定板４の中央部に形成した挿通孔４ａに挿通し、当該他方側の端部を固定板４の下面にリベット６で固定している。帯片３の他方側を固定板４の中央部の挿通孔４ａに挿通して連結しているので、例えば、固定板４の一方端部に連結する場合とは異なり、当該固定板４を隣接する二枚の畳Ｔの間に均等に位置させることができる。また、リベット６で固定しているので、強固な組付けを確保することができる。
【００２０】
本実施形態に係る離床支援手すり用支持具２は、離床支援手すり１を畳Ｔを利用して支持するので、敷物Ｓの外から手すり本体を持って身体を支えても転倒しない。また、この手すり１は、帯片３をバックル５によって長さ調節自在としているので、当該帯片３の長さ調節が容易であり、従って、当該離床支援手すり１を、畳部屋のどの箇所にも容易に配置することができる。
【００２１】
なお、本実施形態における支持具２によって支持される離床支援手すり１は、基板１０、柱部材２０、第一手すり部材３０、および第二手すり部材４０とで構成されている。基板１０は、平面略長方形で平板状の支持板部１１の一方側端部から、平板状の補助板部１２を横設したものである。柱部材２０は、支持板部１１の前端部から立設されている。
【００２２】
第一手すり部材３０は、鈎状で、その基端部を支持板部１１の後端部（露出部１０ａ）から立設し、先端部を柱部材２０のほぼ中間高さ部分に連結している。第二手すり部材４０は、柱部材２０に垂直方向に伸縮自在に嵌挿された縦フレーム４１の先端部に、手すり本体４２を固定して構成している。
【００２３】
この離床支援手すり１は、第一手すり部材３０を設けているので、布団やこたつ等で上体を起こす際や、寝返りを打つ際に、この第一手すり部材３０を手で握ることによって、それらの動作を容易に行うことができる。
【００２４】
また、第二手すり部材４０を設けているので、布団やこたつ等の敷物Ｓから立ち上がる際や、そうした場へ立ち下がる際に、手すり本体４２を持って身体を支えることによって、そうした動作を容易に行うことができる。
【００２５】
また、この第二手すり部材４０は、垂直方向に伸縮自在であるので、布団やこたつなどに合わせてその高さ位置を無段階で自在に調整することができる。従って、布団やこたつ等の低い場から、容易に立ち上がったり、立ち下がったりすることができる。
【００２６】
なお、本考案に係る支持具２は、本実施形態に示す構成の離床支援手すり１のみでなく、あらゆる構成の離床支援手すりを支持することができる。
【図面の簡単な説明】
【００２７】
【図１】本考案の実施形態に係る支持具を取付けた離床支援手すりを示す斜視図である。
【図２】図１に示す手すりの正面図である。
【図３】図２の要部拡大図である。
【図４】本考案の実施形態に係る支持具を示す斜視図である。
【図５】従来例に係る手すりを示す斜視図である。
【符号の説明】
【００２８】
１        離床支援手すり
２        支持具
３        帯片
４        固定板
４ａ      挿通孔
５        バックル
６        リベット
１０      基板
１０ａ    露出部
１１      支持板部
１２      補助板部
１３      孔部
２０      柱部材
３０      第一手すり部材
４０      第二手すり部材
４１      縦フレーム
４２      手すり本体
７０      離床支援手すり
７１      基板
７２      柱部材
７３      下横枠
７４      上横枠
Ｓ        敷物
Ｔ        畳
【図１】
0003128653.tif 000003
【図２】
0003128653.tif 000004
【図３】
0003128653.tif 000005
【図４】
0003128653.tif 000006
【図５】
0003128653.tif 000007